(57)【特許請求の範囲】
【請求項１】
情報が表示された入力キーを複数備えた情報入力盤と、前記入力キーのうち選択された入力キーの情報を認識する情報認識手段と、を備えた情報入力装置であって、前記情報入力盤は、所定の軸を中心に回転可能に構成され、前記各入力キーは、前記軸を中心とする円周に沿って配列されており、前記情報認識手段は、特定の基準となる位置に存する入力キーを認識する基準情報認識手段と、該基準情報認識手段によって認識された基準入力キーと選択された入力キーの相対位置関係を認識する相対位置認識手段と、前記基準入力キーの情報と、基準入力キーと選択入力キーの相対位置関係と、から選択された入力キーの情報を認識する選択情報認識手段と、を備えていることを特徴とする情報入力装置。
【請求項２】
前記各入力キーには、それぞれの入力キーを識別する識別表示が設けられており、前記基準情報認識手段は、特定の基準となる位置に存する入力キーの識別表示を認識することにより、基準入力キーの情報を認識するよう構成されていることを特徴とする請求項１記載の情報入力装置。
【請求項３】
前記識別表示は、各入力キーの情報に対応させて各入力キーの裏面に設けられた２進コード化された複数の反射部を備え、前記基準情報認識手段は、前記それぞれの複数の反射部と対向配置された光学検出手段を備えていることを特徴とする請求項２記載の情報入力装置。
【請求項４】
前記入力キーに表示された情報は、凹凸によって表示されていることを特徴とする請求項１乃至３いずれか記載の情報入力装置。
【発明の詳細な説明】
【０００１】
【発明の属する技術分野】
本発明は、暗証番号などの入力の際に、選択された入力キーが盗み見られるのを防止することができる情報入力装置に関する。
【０００２】
【従来の技術】
近年の技術の発達により、クレジットカード、キャッシュカード又はインターネットなどを使用した電子決済が行われており、この電子決済システムによって、現金の受け取り、特定のサービスの提供などが行われている。この電子決済システムは、ＡＴＭなどに一般にそのカードに付された磁気情報を読み込ませるか、あるいはカード番号を入力させた後に暗証番号を入力させることにより、そのセキュリティの管理を行っている。
【０００３】
また、米国には、公衆電話を利用する際、電話会社が発行したコーリングカードＮｏを入力するとコインなしでかけることができ、後日請求者が郵送されるサービスがある。本人しか分からないカードＮｏ（パスワード）の入力が、このサービスにおけるセキュリティを提供している。
【０００４】
しかしながら、ＡＴＭなどに設けられている暗証番号の入力用のキーは、一般に、１〜９、及び０の数字、並びに＊及び＃の記号が３列４行で固定的に配列（ＩＳＯ９５６４−１ ＡｎｎｅｘＦ 規定）されているため、例え入力しているキーに表示されている数字などの情報を認識することができない場合であっても、入力する指の動きから、入力された暗証番号などの情報を認識することができ、それ故、離れた位置からでも入力された暗証番号などの情報が盗み取られる場合がある。
【０００５】
かかる問題を解決するものとして、液晶タッチパネル上に入力キーを表示し、入力キーの配列をランダムに変化できるよう構成された情報入力装置があり、入力キーの配列をランダムに変化させることにより、暗証番号を盗み見られるのを防止することができる。
【０００６】
【発明が解決しようとする課題】
しかしながら、入力キーをランダムに配列した場合、入力を誤ってしまう可能性が高く、また、液晶タッチパネルは、高価であるので、情報入力装置が高価になってしまう。
【０００７】
そこで、本発明は、暗証番号などの入力の際に、入力しているキーの情報が盗み見られること、及び誤入力を防止することができる安価な情報入力装置を提供することを目的とする。
【０００８】
【課題を解決するための手段】
本発明は、以上の目的を達成するためになされたもので、情報が表示された入力キーを複数備えた情報入力盤と、前記入力キーのうち選択された入力キーの情報を認識する情報認識手段と、を備えた情報入力装置であって、前記情報入力盤は、所定の軸を中心に回転可能に構成され、前記各入力キーは、前記軸を中心とする円周に沿って配列されていることを特徴とするものである。
【０００９】
以上のように、本発明によれば、情報入力装置に暗証番号などの情報を入力する前後に情報入力盤を回転することにより、入力キーの位置を変動させることができるので、暗号番号を入力する指の動きから、入力された情報を認識するのは困難である。また、入力キーは、変動する方向と同一の円方向に配列されているので、入力キーの配列が崩されることはなく、誤入力が生じることは少ない。
【００１０】
本発明に係る情報入力装置においては、前記情報認識手段は、特定の基準となる位置に存する入力キーを認識する基準情報認識手段と、該基準情報認識手段によって認識された基準入力キーと選択された入力キーの相対位置関係を認識する相対位置認識手段と、前記基準入力キーの情報と、基準入力キーと選択入力キーの相対位置関係と、から選択された入力キーの情報を認識する選択情報認識手段と、を備えていることが好ましく、この場合、前記各入力キーには、それぞれの入力キーを識別する識別表示が設けられており、前記基準情報認識手段は、特定の基準となる位置に存する入力キーの識別表示を認識することにより、基準入力キーの情報を認識するよう構成されていることが好ましい。また、前記識別表示は、各入力キーの情報に対応させて各入力キーの裏面に設けられた２進コード化された複数の反射部を備え、前記基準情報認識手段は、前記それぞれの複数の反射部と対向配置された光学検出手段を備えていることが好ましい。
【００１１】
さらに、本発明に係る情報入力装置においては、前記入力キーに表示された情報は、凹凸によって表示されていることが好ましい。このように、入力キーに表示された情報を凹凸によって表示することにより、盲目の人であっても入力キーの情報を認識することができ、他人の力を借りずに入力操作を行うことができる。凹凸に表示された情報としては、点字、又は通常の文字、数字又記号などを凹凸をもって表示したものなどがある。
【００１２】
また、本発明に係る情報入力装置は、情報が表示された入力キーを表示するタッチパネルを備えた情報入力装置において、前記入力キーは、同一円周上に表示され、それらの配列を変化させずに前記入力キーが表示されている円の周方向に回転して表示されるよう構成されていることを特徴とするものである。
【００１３】
このように、本発明によれば、入力キーは、位置を変化されて表示されるので、暗号番号を入力する指の動きから、入力された情報を認識するのは困難である。また、入力キーは、同一円周上に配列を変化させずに位置を変化させて表示されるので、誤入力が生じることは少ない。
【００１４】
前記入力キーは、同一円周上に順序良く表示されることが好ましく、使用者が前記タッチパネル上の所定の位置に触れると、それらの配列を変化させずに前記入力キーが表示されている円の周方向に回転して表示されることが好ましい。また、前記入力キーは、それらが表示される画面が表示される毎に、それらの配列を変化させずに前記入力キーが表示されている円の周方向に回転して表示されるよう構成しても良い。
【００１５】
【発明の実施の形態】
次に、本発明に係る情報入力装置の第１実施例について図面に基づいて説明する。図１は、第１実施例に係る情報入力装置を適用した公衆電話機を示す斜視図である。情報入力装置を適用した電話機本体１０には、本発明の情報入力装置を構成する情報入力盤１２と、コイン入口１４と、受話器１６と、が設けられている。
【００１６】
図２は、第１実施例に係る入力装置の情報入力盤１２の部分の拡大正面図であり、図３は、図２のＡ−Ａ線に沿った断面図である。電話機本体１０の情報入力盤１２の中心には、円状の「ＥＮＴＥＲ／ＣＬＥＡＲ」押釦１８が設けており、図３に示すように、その押釦１８を中心とするドーナツ状の溝２０が形成されている。押釦１８の裏面には、図３に示すように円柱状のスイッチ部２２が設けられている。スイッチ部２２の先端には、ピン型接点２４が設けられており、その下方には、ピン型接点２４と接触することにより導通状態となる板型接点２６が設けられている。また、スイッチ部２２の外周には、ばね２８が設けられており、ばね２８は、ピン型接点２４を板状接点２６から離間するように、押釦１８を上方に付勢している。
【００１７】
情報入力盤１２は、入力キー３０と、入力キー３０を支持する支持体３２と、を備えている。支持体３２は、電話機本体に形成された溝２０の形状に相応するドーナツ状に形成されており、押釦１８を中心に回転可能な状態で、溝２０に嵌め込まれている。また、支持体３２の裏面の中心部には、支持体３２の内面と一体をなす内面を有し、下方に突出する円筒体３２ａが形成されている。入力キー３０は、図２に示すように、支持体３２のドーナツ状の形状に沿って、１２個順序良く配列されており、それぞれの入力キー３０には、０〜９までの数字と、♯及び＊の情報３０ａが凸状に表示されている。このように、情報が凸状に表示されているので、盲目の人であっても、入力キー３０に手を触れることにより、情報の内容を認識することができる。また、入力キー３０の裏面３０ｂには、図３に示すように円柱状のスイッチ部３４が設けられており、スイッチ部３４は、支持体３２の底面部３２ｂに形成された孔３２ｃに貫通した状態で備えられている。また、スイッチ部３４の先端には、ピン型接点３６が設けられており、溝２０の底面の各スイッチ部３４の下方には、ピン型接点３６と接触することにより導通状態となる板状接点３８が各ピン型接点３６に対向する位置に設けられている。そして、スイッチ部３４の外周には、各入力キー３０の裏面と支持体３２の底面部３２ｂに亘ってばね４０が設けられており、ばね４０は、ピン型接点３６を板状接点３８から離間するように、入力キー３０を上方に付勢している。
【００１８】
支持体３２の表面の各入力キー３０が位置するところには、円柱状の摘み３２ｄが突設されており、この摘み３２ｄによって容易に支持体３２を回転することができる。また、図４及び５に示すように、支持体３２の裏面の各入力キー３０が位置するところには、それぞれの入力キー３０を識別するための２進コード化された光反射／吸収板からなる識別表示４２が設けられている。第１実施例において、識別表示４２は、４枚の光反射板又は光吸収板からなり、４枚の光反射板又は光吸収の組み合わせによって、他の入力キー３０と識別できるよう構成されている。例えば、図５に示すように、４枚の板のうち１番外側の板のみ光反射板である場合、「１」を意味し、外側から２番目の板のみ光反射板である場合、「２」を意味し、外側の２枚の板が光反射板である場合、「３」を意味するなどである（図４及び５において、白抜きが光反射板、黒塗りが光吸収板を示す）。
【００１９】
また、図４及び５に示すように支持体３２の円筒体３２ａの外周の各入力キー３０の間には、それぞれ突起４４が設けられている。そして、図３及び６に示すように、電話機本体１０の溝２０の底面には、支持体３２の隣接する突起４４、４４間に係合するラチェット４５が設けられており、ラチェット４５によって、支持体３２を回転させた際に、入力キー３０のスイッチ部３４の全てのピン型接点３６がいずれかの板状接点３８の上方に位置するよう制御される。
【００２０】
電話機本体１０の溝２０の底面には、図６に示すように、支持体３２に設けられた各入力キー３０のうち、特定の基準となる位置に存する入力キー３０の識別表示４２を認識する基準情報認識装置４６が一つ設けられている。基準情報認識装置４６は、所定の位置に存する入力キー３０の識別表示４２の各光反射／吸収板に光を照射する発光ダイオード（ＬＥＤ）４８と、光が反射した場合、その反射光を受光する光センサー５０と、を各板に対応して４枚備えている。また、電話機本体１０には、第１実施例に係る情報入力装置を制御する制御装置５２が設けられており、板状接点２６及び３８、並びに光センサ５０は、制御装置５２に接続されている。
【００２１】
次に、第１実施例に係る情報入力装置の動作について説明する。先ず、摘み３０ｂを持って情報入力盤１２を回転させて、所望の位置で停止する。この際、ラチェット４５の作用により、各入力キー３０のスイッチ部３４のピン型接点３６は、板状接点３８の上方に位置する。次に、押釦１８を押すと、ピン型接点２４と板状接点２６が接触して導通状態となり、制御装置５２に信号が送信される。制御装置５２は、信号を受信すると、基準情報認識装置４６から特定の基準となる位置（図６のａの位置）に存する基準となる入力キー３０の情報を得る。基準情報認識装置４６は、各発光ダイオード４８から識別表示４２の各板に光が照射され、識別表示４２の各板から反射光を受光した光センサ５０からの信号によって、基準となる入力キー３０の識別表示４２を認識する。
【００２２】
次に、いずれかの入力キー３０が選択され下方に押されると、選択された入力キー３０の下方に存するピン型接点３６が板状接点３８が導通状態となり、制御装置５２に信号を送信する。制御装置５２は、信号を受信すると、基準となる入力キー３０の情報と、基準となる入力キー３０と選択された入力キー３０の相対的位置関係から、選択された入力キー３０の情報を認識する。例えば、図６に示すように、基準となる入力キー３０の表示情報が「１」で、その右側に二つ目の入力キー３０が選択された場合（図５のａの位置に表示情報「１」の入力キー３０が存し、ｃの位置の入力キー３０が選択された場合）、制御装置５２は、選択された入力キー３０が「３」であると認識する。また、基準となる入力キー３０の表示情報が「５」で、その左側に三つ目の入力キー３０が選択された場合（図５のａの位置に表情報「５」の入力キー３０が存し、ｊの位置の入力キー３０が選択された場合）、制御装置５２は、選択された入力キー３０が「２」であると認識する。
【００２３】
そして、このような入力キー３０の入力動作を繰り返すことにより、暗証番号の入力操作は終了する。
【００２４】
次に、本発明に係る情報入力装置の第２実施例について図面に基づいて説明する。第２実施例に係る入力装置は、ＡＴＭなど、暗証番号を入力する必要がある機械に使用される。図７は、第２実施例に係る情報入力装置の概略図である。第２実施例に係る情報入力装置は、液晶タッチパネル６０と、コンピュータ６２と、を備えている。コンピュータ６２は、液晶タッチパネル６０上のタッチされた位置を認識し、記憶し、また液晶タッチパネル６０の表示を制御するよう構成されている。
【００２５】
コンピュータ６２は、図８に示すように、液晶タッチパネル６０に情報が表示された入力キー６６、「ＥＮＴＥＲ」キー６８、「ＣＯＲＲＥＣＴ」キー７０、「ＣＡＮＣＥＬ」キー７２、「Ｓｃｒａｍｂｌｅ」キー７４が表示された入力画面を表示するよう構成されている。入力キー６６は、１〜９、０の数字、＊、＃の記号が表示された１２個キーからなり、これら１２個の入力キーは、同一円上に順序良く、すなわち周方向に数字の１から順番に配列されて表示される。これら１２個の入力キー６６は、使用者が液晶タッチパネル６０に表示された「Ｓｃｒａｍｂｌｅ」キー７４に触れると、それらの配列を変化させずに、入力キー６６が表示された円の周方向に回転するよう構成されている。また、コンピュータ６２は、使用者が液晶タッチパネル６０に触れた位置と、その際に液晶タッチパネル６０に表示している画像とを比較して、使用者が液晶タッチパネル６０に表示されているどのキーに触れたのかを認識するよう構成されている。
【００２６】
次に、第２実施例に係る入力装置の動作について図９に示すフローチャートに基づいて説明する。先ず、ＡＴＭなど暗証番号を入力する必要がある機械において、カードなどを挿入して、暗証番号を入力する必要な画面（例えば、残高照会の画面）を選択すると、図８に示す暗証番号の入力画面が表示される（Ｓ１０１）。この際、１２個の入力キーは、図８に示すように同一円上に順序良く表示される。
【００２７】
次に、液晶タッチパネル６０上の「Ｓｃｒａｍｂｌｅ」キー７４が表示されている位置に使用者が触れると、コンピュータ６２は、その使用者が触れた位置を認識し、０〜１１の数字、例えば６を任意に選択する（Ｓ１０２、Ｓ１０３）。一方、使用者が、液晶タッチパネル６０上の「Ｓｃｒａｍｂｌｅ」キー７４が表示されている位置に触れなかった場合、ステップ１０７に進む。次に、コンピュータ６２は、任意に選択された数字分だけ、例えば数字６が選択された場合、１８０度、１２個の入力キー６６を仮想的に右方向に回転し、その回転された入力キー６６の位置を記憶する（Ｓ１０４、Ｓ１０５）。次に、コンピュータ６２は、１２個の入力キー６６を仮想的に回転された状態で液晶タッチパネル６０上に再表示する（Ｓ１０６）。
【００２８】
そして、使用者が暗証番号の入力、すなわちいずれかの入力キー６６に触れると、コンピュータ６２は、使用者が触れた位置を液晶タッチパネル６０の位置を認識し、液晶タッチパネル６０上の使用者が触れた位置と、回転された入力キー６６の液晶タッチパネル６０に表示されている位置を比較して、使用者が触れた入力キーを認識する（Ｓ１０７）。使用者が例えば４つの入力キー６６に触れ、暗証番号の入力を終えて、「ＥＮＴＥＲ」キー６８に触れると（Ｓ１０８）、コンピュータ６２は、暗証番号の入力が終了したことを認識して、暗証番号の入力操作は、終了する。
【００２９】
また、「Ｓｃｒａｍｂｌｅ」キー７４を触れないで、入力キー６６の位置を変化させずに、暗証番号の入力操作を行うこともできる（Ｓ１０２、Ｓ１０７）。また、本発明においては、暗証番号を一つ入力するごとに入力キー６６の位置を変化させても良い。
【００３０】
なお、第１実施例に係る情報入力装置を図１１に示すようにＡＴＭに利用しても良く、また図１２に示すようにＰＯＳ用のＰＩＮパッドに利用しても良い。
【００３１】
【発明の効果】
以上のように、本発明によれば、情報入力装置に暗証番号などの情報を入力する前後に情報入力盤を回転することにより、入力キーの位置を変動させることができるので、暗号番号を入力する指の動きから、入力された情報が認識されることはなく、また入力キーが円周に沿って配列されているので、誤入力が生じることは少なく、それ故、入力しているキーの情報が盗み見られること、及び誤入力を防止することができる安価な情報入力装置を提供することができる。
【図面の簡単な説明】
【図１】本発明に係る情報入力装置の第１実施例を適用した電話機の斜視図である。
【図２】第１実施例に係る情報入力装置の正面図である。
【図３】図２のＡ−Ａ線に沿った断面図である。
【図４】第１実施例における情報入力板の裏面を示す図である。
【図５】第１実施例における各入力キーの識別表示、基準入力キー及び選択入力キーを示した表である。
【図６】図３のＢ−Ｂ線に沿った断面図である。
【図７】本発明に係る情報入力装置の第２実施例の概略図である。
【図８】第２実施例に係る情報入力装置の入力画面を示す図である。
【図９】第２実施例に係る情報入力装置の動作のフローチャートを示す図である。
【図１０】第２実施例に係る情報入力装置の入力画面を示す図である。
【図１１】第１実施例に係る情報入力装置をＡＴＭに利用した状態を示す図である。
【図１２】第１実施例に係る情報入力装置をＰＯＳ用のＰＩＮパッドに利用した状態を示す図である。
【符号の説明】
情報入力板         １２
押釦（軸）         １８
入力キー           ３０、６６
【図１】
0003704450.tif 000002
【図２】
0003704450.tif 000003
【図３】
0003704450.tif 000004
【図４】
0003704450.tif 000005
【図５】
0003704450.tif 000006
【図６】
0003704450.tif 000007
【図７】
0003704450.tif 000008
【図８】
0003704450.tif 000009
【図９】
0003704450.tif 000010
【図１０】
0003704450.tif 000011
【図１１】
0003704450.tif 000012
【図１２】
0003704450.tif 000013